(57)【要約】  【課題】  浄化領域とするゾーンを確実に清浄に保つことができる上、実用性の非常に高いゾーン浄化システムを提供すること。  【解決手段】  載置手段２の上方空間を浄化領域であるゾーンＺとし、このゾーンＺに対してエアＡを吹き付けるゾーン浄化システムであって、前記エアＡの吹き出し口５に、小径で且つ互いに平行な直線状の流路７を密に具備したエア吹き出し手段６が設けられ、前記ゾーンＺの真上部の左右両側からゾーンＺに向け斜め方向にエアＡを吹き付けるように構成されている。  【選択図】  図１
2005201488.tif 000002
【特許請求の範囲】
【請求項１】
載置手段の上方空間を浄化領域であるゾーンとし、このゾーンに対してエアを吹き付けるゾーン浄化システムであって、前記エアの吹き出し口に、小径で且つ互いに平行な直線状の流路を密に具備したエア吹き出し手段が設けられ、前記ゾーンの真上部の左右両側からゾーンに向け斜め方向にエアを吹き付けるように構成されていることを特徴とするゾーン浄化システム。
【請求項２】
前記載置手段に、ゾーンに向けて吹き付けられたエアを吸入する吸い込み口を設けた請求項１に記載のゾーン浄化システム。
【請求項３】
前記載置手段が、剖検室に設置された解剖台である請求項１または２に記載のゾーン浄化システム。
【請求項４】
前記吹き出し口から吹き出すエアの温度を制御する温度制御手段を備えた請求項１〜３のいずれかに記載のゾーン浄化システム。
【発明の詳細な説明】
【技術分野】
【０００１】
この発明は、例えば、種々の解剖検査を行う剖検室や食品生産ルームなどの区画室の或る限られたゾーンをエアによって浄化するゾーン浄化システムに関する。
【背景技術】
【０００２】
例えば、解剖台の上に検体（遺体）を載置し、病理解剖等の解剖検査を行う剖検室においては、検体から発生するエアロゾル（浮遊菌、臭い等も含む）によって解剖を行う術者やその周囲にいる従事者などが感染するのを防止する必要がある。
【０００３】
そして、上記のようなエアロゾルの発生源は専ら検体に限られており、また、エアロゾルが術者や従事者などの特に顔と頭（以下、頭部という）付近に至らないようにすればよいという観点から、次のようなゾーン浄化システムが提案されている。すなわち、剖検室の天井における解剖台の真上に相当する位置にエア吹き出し口を形成し、エアをこのエア吹き出し口から解剖台に向けて吹き出すように構成されたゾーン浄化システムである。
【０００４】
前記ゾーン浄化システムでは、解剖台に載置された検体に対してその真上からエアを吹き付けるので、検体から発生したエアロゾルは、エアによって誘導されて強制的に剖検室の下方へと流され、やがて解剖台や剖検室の側壁等に設けられた排気口から剖検室の外部に排出される。従って、術者や従事者などの頭部が位置する解剖台より上方の空間は清浄に保たれ、術者や従事者などをエアロゾルによる感染から確実に守ることができる。
【特許文献１】特許第２８７３５５２号公報
【発明の開示】
【発明が解決しようとする課題】
【０００５】
ところで、剖検室の天井には、通常、無影灯が取り付けられるが、この無影灯の設置位置が、照明効果の関係上、前記エア吹き出し口と同じく、剖検室の天井における解剖台の真上に相当する位置に取り付ける必要がある場合、上記の構成からなるゾーン浄化システムでは対応できず、実用性の面で問題があった。
【０００６】
この発明は上述の事柄に留意してなされたもので、その目的は、浄化領域とするゾーンを確実に清浄に保つことができる上、実用性の非常に高いゾーン浄化システムを提供することである。
【課題を解決するための手段】
【０００７】
上記目的を達成するために、この発明のゾーン浄化システムは、載置手段の上方空間を浄化領域であるゾーンとし、このゾーンに対してエアを吹き付けるゾーン浄化システムであって、前記エアの吹き出し口に、小径で且つ互いに平行な直線状の流路を密に具備したエア吹き出し手段が設けられ、前記ゾーンの真上部の左右両側からゾーンに向け斜め方向にエアを吹き付けるように構成されている（請求項１）。
【０００８】
好ましくは、前記載置手段に、ゾーンに向けて吹き付けられたエアを吸入する吸い込み口を設ける（請求項２）。
【０００９】
具体的には、前記載置手段が、剖検室に設置された解剖台である（請求項３）。
【００１０】
また、前記吹き出し口から吹き出すエアの温度を制御する温度制御手段を備えていてもよい（請求項４）。
【発明の効果】
【００１１】
請求項１に係る発明では、小径で且つ互いに平行な直線状の流路を密に具備したエア吹き出し手段により吹き出されたエアは、層流状態で直線的にゾーンに向かい、ほとんど拡散することなくゾーンに良好に到達する。従って、浄化領域とするゾーンには、エアによる下向きの気流が効果的に形成されるので、ゾーン内は清浄に保たれることになる。
【００１２】
しかも、ゾーンの真上部の左右両側からゾーンに向けてエアを吹き付けるように構成してあるので、ゾーンの真上部のスペースの有効活用が可能となり、実用性の面で大いに向上を図ることができる。
【００１３】
また、請求項２に係る発明では、ゾーンの真上部の左右両側からゾーンに向けて吹き付けられてゾーンに至ったエアを、載置手段に設けた吸い込み口から吸引することができるので、ゾーンにエアによる下向きの気流を形成することができるという効果がより向上し、それに伴って、ゾーン内の清浄度がより高まることとなる。
【００１４】
請求項３に係る発明では、例えば、解剖台に載置された検体の解剖作業などを行う術者が、検体から発生したエアロゾルによって何らかの病気に感染する危険性をなくすことができる。すなわち、前記解剖作業時に、術者の頭部は、通常、ゾーンに相当する空間内に長時間位置することになるが、その間に、検体から発生したエアロゾルがゾーン内に進入するのが防止されるので、術者が前記エアロゾルにより感染するのを防止することができる。
【００１５】
請求項４に係る発明では、温度制御手段を用いて、例えば、吹き付け口から吹き付けるエアの温度をゾーンの周囲の温度よりも適宜の温度（２〜３℃）だけ低くすれば、エアの到達距離が伸びるので、エアをより良好にゾーンに到達させることができる。
【発明を実施するための最良の形態】
【００１６】
以下、この発明の実施の形態を、図面を参照しながら説明する。図１、図２および図３は、本発明の第一実施例に係るゾーン浄化システムの構成を概略的に示す正面図、側面図および平面図である。
【００１７】
図１および図２において、１は剖検室であり、この剖検室１内に、載置手段としての解剖台２が配置されている。そして、この実施例のゾーン浄化システムは、解剖台２の上方空間を浄化領域であるゾーンＺとし、このゾーンＺに向けてその上方（斜め上方）から層流状態のクリーンエアＡを吹き付けるように構成されている。
【００１８】
詳しくは、解剖台２は、図３に示すように、前後方向（図３において符号Ｘで示す方向）に長く延びており、その上面の左右両側に沿って、ゾーンＺ付近に存在する空気を吸入する吸い込み口３が設けられている。また、図２に示すように、解剖台２の上部には、検体Ｅを載置する検体載置部２ａと、流し２ｂとが設けられており、流し２ｂに面するように水栓２ｃが配置されている。
【００１９】
一方、図１に示すように、剖検室１の天井部における解剖台２の真上部に相当する位置には、埋め込み型の無影灯４が配置されており、無影灯４の左右両側（すなわち解剖台２の真上部の左右両側）に沿って、エア吹き出し口５がゾーンＺに正対するように適宜に傾斜した状態（例えば、水平方向に対して１５°〜２０°の範囲で傾斜した状態、この実施例では１７．５°傾斜した状態）で設けられている。
【００２０】
そして、各エア吹き出し口５内には、吹き出すクリーンエアＡを整流し、層流状態とするためのエア吹き出し手段６が設けられている。このエア吹き出し手段６は、図４に示すように、小径で且つ互いに平行な直線状の複数の流路７を密に配置してなる。この実施例では、エア吹き出し手段６として、横断面がほぼ正六角形状の筒状体が並んだハニカム構造をしたハニカムコア（例えば、昭和飛行機工業株式会社製の型式ＡＬ１／８−５０５２−．００１である箔厚が０．０２５４ｍｍで、セルサイズが３．２ｍｍ、エレメント厚さが５０ｍｍのもの）を採用している。しかし、エア吹き出し手段６の構成は上記のものに限られず、例えば、帯状の薄板を狭い間隔で格子状に組み合わせたものや、小径のパイプ（例えばプラスチック製のパイプ）を密に集合密着させたものなどであってもよい。
【００２１】
また、エア吹き出し口５から吹き出すクリーンエアＡは、例えば、剖検室１の外部から取り込んだ導入空気を清浄化することにより形成される。すなわち、図１に示すように、前記導入空気の取り込み口８からエア吹き出し口５までの間にダクト等により形成される流路９中には、クリーンエアＡ（導入空気）をエア吹き出し口５へと向けて送風するファン（シロッコファンなど）からなる送風手段（図示していない）と、導入空気を清浄化してクリーンエアＡを形成するためのＨＥＰＡフィルタなどの濾過手段１０とが設けられている。そして、クリーンエアＡは、エア吹き出し口５から例えば風速０．５５ｍ／ｓで吹き出される。
【００２２】
なお、この実施例では濾過手段１０によって清浄化したクリーンエアＡを用いているが、このような構成に限られず、クリーンエアＡに代えて、例えば、通常の空気を用いてもよい。
【００２３】
また、この実施例では、前記エア吹き出し口５、エア吹き出し手段６および濾過手段１０が、前記流路９の下流部に設けられ、剖検室１の天井部に配置されるゾーンクリーンユニットＵに組み込まれており、このような構成によって、剖検室１の天井部に対する各部材５，６，１０の取り付け作業を容易に行うことができる。
【００２４】
さらに、図１および図２に示すように、剖検室１の側壁下部など適宜の箇所には、排気口１１が設けられており、各排気口１１および前記吸い込み口３にはそれぞれ排出流路１２が接続されている。なお、排出流路１２には、図示していない吸入ファンなどの吸引手段が設けられている。
【００２５】
次に、上記ゾーン浄化システムの作動について説明する。
まず、流路９中に設けられた送風手段を駆動状態にすると、剖検室１の外部に設けられた取り込み口８から空気が取り込まれ、この取り込まれた導入空気は流路９をエア吹き出し口５へと向けて流れる。そして、導入空気は、流路９中に設けられた濾過手段１０を経てクリーンエアＡとなった後、エア吹き出し手段６の密なる小径の流路７を通り、エア吹き出し口５からゾーンＺに向け斜め方向に吹き出される。
【００２６】
そして、ゾーンＺに至ったクリーンエアＡは、その一部が剖検室１に設けられた吸い込み口３から吸い込まれ、排出流路１２へと送られ、吸い込み口３から吸い込まれなかったクリーンエアＡは、剖検室１の底部に沿って流れ、やがて剖検室１の側壁に設けられた排気口１１から排出流路１２へと送られる。なお、排出流路１２へと送られたクリーンエアＡは、適宜に処理される。
【００２７】
上記の構成からなるゾーン浄化システムでは、流路９を流れるクリーンエアＡがエア吹き出し手段６を通過する間に、その流れが整流化され、これに加えて乱れ成分も取り除かれるので、エア吹き出し手段６を通過したクリーンエアＡは層流となる。そして、エア吹き出し口５から吹き出されるクリーンエアＡが真下に向かわずにその斜め下にあるゾーンＺに向かうように構成してあり、エア吹き出し口５からゾーンＺに向けて直線的に吹き出されたクリーンエアＡは、ほとんど拡散することなくゾーンＺに良好に到達した後、ゾーンＺのすぐ下に設けられた吸い込み口３から一部が吸い込まれ、その流れに伴って、他のクリーンエアＡも下方へと向かい、やがて排気口１１に吸い込まれる。
【００２８】
そのため、浄化領域とするゾーンＺには、クリーンエアＡによる下向きの気流が効果的に形成され、検体Ｅから発生したエアロゾルは、クリーンエアＡによって誘導され強制的にゾーンＺよりも下方へと流されることになる。従って、検体Ｅから発生したエアロゾルは、クリーンエアＡによっていわば押さえ込まれることになり、ゾーンＺの上方や側方に拡散せず、解剖作業などを行う術者Ｊやその周囲の従事者（図示していない）などの頭部付近に到達することがないので、エアロゾルによる感染から術者Ｊや従事者などを確実に守ることができ、また、検体Ｅから発生する腐臭などによって術者Ｊや従事者などが不快になることもなくなるので、解剖作業をより安全で快適なものにすることができる。
【００２９】
しかも、前記ゾーン浄化システムは、解剖台２の真上部に無影灯４を設置してあっても、エア吹き出し口５はその無影灯４の左右両側に相当する位置に配置するので全く問題なく、例えば、解剖台２の真上部に無影灯４が既に設けられている剖検室１などに、容易に後付けすることができ、実用性の面で非常に好ましいものとなっている。
【００３０】
ここで、エア吹き出し口５の傾斜角度は、なるべく小さくすることが好ましく、従って、無影灯５の機能を損なわない範囲で、エア吹き出し口５をできるだけ無影灯５に近づけて配置することが望ましい。
【００３１】
次に、前記エア吹き出し口５から吹き出すクリーンエアＡの温度を制御するための温度制御手段を備えた本発明の第二実施例に係るゾーン浄化システムについて、図５を参照しながら説明する。なお、図５において、図１〜図４に示したものと同一構造の部材については、同じ符号を付し、その説明を省略する。
【００３２】
図５において、１３は取り込み口１４から外部の空気を取り込んでこれを適温にする空調機であり、この空調機１３の内部には、取り込んだ外部の空気を清浄化するための例えばフィルタよりなる濾過手段１５と、取り込んだ外部の空気の温度を調整するための加熱手段１６および冷却手段１７と、適温にしたエアを下流側へと送風するファン（シロッコファンなど）からなる送風手段１８とが設けられている。また、この空調機１３には冷凍機１９が接続されている。
【００３３】
そして、空調機１３の下流側には、この空調機１３からのエアの温度を調整し、剖検室１内の室温調整のための空調用エアを形成する室内温調ユニット２０と、空調機１３からのエアの温度を調整し、エア吹き出し口５から吹き出す適温のクリーンエアＡを形成するための吹出温調ユニット２１とが設けられている。なお、図５においては、わかりやすく説明するために、二つのユニット２０，２１を別体として示しているが、実際には、両者２０，２１は一つのユニットとして一体化されて用いられている。
【００３４】
また、前記室内温調ユニット２０の下流側には、剖検室１の天井部に設置された空調用エア吹出ユニット２２が空調用エア流路２３を介して接続されており、この空調用エア吹出ユニット２２から、適温の空調用エアが剖検室１内に吹き出される。一方、前記吹出温調ユニット２１の下流側には、前記ゾーンクリーンユニットＵがクリーンエア流路２４を介して接続されている。
【００３５】
ここで、室内温調ユニット２０および吹出温調ユニット２１は、例えばＰＬＣ等適宜の演算処理機能を備えた公知の構成よりなる制御部２５からの信号によって制御される。
【００３６】
詳しくは、２６は剖検室１内の室温を検出する第一温度センサ、２７はクリーンエア流路２４に設置され、クリーンエアＡの温度を検出する第二温度センサであり、各温度センサ２６，２７からの温度検出信号は、それぞれ信号線（計装線）２８，２９を介して制御部２５に送られる。なお、第二温度センサ２７は、例えばゾーンクリーンユニットＵの内部に設置されていてもよい。
【００３７】
また、剖検室１内の室温を設定するための室温設定手段（図示していない）が剖検室１内などの適宜の位置に設けられており、この室温設定手段により入力された設定温度に対応する設定温度信号が、図示していない信号線（計装線）を介して制御部２５に送られる。
【００３８】
そして、制御部２５は、第一温度センサ２６からの温度検出信号と室温設定手段からの設定温度信号とを受け比較した結果に基づき、信号線（計装線）３０を介して室内温調ユニット２０に温度調整信号を送り、室内温調ユニット２０の作動状態を制御する。これにより、空調用エアが温度調整され、剖検室１の室温が設定温度に近づく。
【００３９】
同時に、制御部２５は、第一温度センサ２６および第二温度センサ２７からの各温度検出信号を受け比較した結果に基づき、信号線（計装線）３１を介して吹出温調ユニット２１に温度調整信号を送り、吹出温調ユニット２１の作動状態を制御する。これにより、クリーンエアＡの温度が剖検室１の室温よりも所定温度（例えば、２〜３℃、この実施例では２℃）だけ低くなるように調整される。
【００４０】
なお、図５において、３２は剖検室１の側壁など適宜の位置に設けられ、剖検室１の外部から内部に向かう空気などの流通のみを許容するダンパーである。すなわち、剖検室１の天井部に設置された空調用エア吹出ユニット２２およびゾーンクリーンユニットＵから剖検室１内に流入する空調用エアおよびクリーンエアＡの流量の合計よりも、剖検室１内から排出流路１２を経て外部に流出する排気エアの流量のほうが大きくなるように設定してあり、剖検室１内が常に陰圧（外気よりも低い圧）となるように構成されている。
【００４１】
また、３３は剖検室１内から排出流路１２に排出された排気エアを浄化して無害化するための排気処理ユニットであり、この排気処理ユニット３３は、前記排気エアを清浄化するためのフィルタなどの濾過手段３４と、排気エアを外部に送出するためのファンなどの送風手段３５とを備えている。
【００４２】
上記の構成からなる第二実施例のゾーン浄化システムでは、吹出温調ユニット２１、制御部２５、温度センサ２６，２７を備えた温度制御手段によって、エア吹き出し口５から吹き出すクリーンエアＡの温度を解剖台２（ゾーンＺ）付近の室温よりも２〜３℃程度低くなるように調整することによって、クリーンエアＡの到達距離を伸ばし、クリーンエアＡをより良好にゾーンＺに到達させることができ、剖検室１内における解剖作業の安全性および快適性をより高めることが可能となる。
【００４３】
また、前記ゾーン浄化システムは、例えば従来の剖検室１に既設の空調機１３や空調用エア流路２３などを一部に利用して構築することができるので、低コストで容易に設置することができる。
【００４４】
なお、この発明は上記の実施の形態に限られず、種々に変形して実施することができる。例えば、各実施例において、クリーンエアＡを形成するための導入空気を、剖検室１の外部から採取するのではなく、剖検室１内から採取するようにして、ゾーン浄化システムをいわゆる循環タイプとしてもよい。ただし、この場合には、検体Ｅから発生したエアロゾルを含む剖検室１内の空気を採取し、これを導入空気として利用することになるので、流路９中に設けられる濾過手段によってエアロゾルを確実に導入空気から除去することができるように構成する必要がある。
【００４５】
また、各実施例において、送風手段を例えばゾーンクリーンユニットＵ内に設けてもよい。
【００４６】
また、各実施例に示したゾーン浄化システムを、載置手段としてのコンベアの上方空間を浄化領域であるゾーンＺとし、このゾーンＺに向けてその斜め上方から整流したエアを吹き付けるように構成されたものとしてもよい。前記コンベアは、例えば、食品生産ライン中に設けられる食品運搬用のベルトコンベアとすることができる。そして、この場合には、エアとして、食品の衛生に悪影響を与える菌やダストなどが除去されたクリーンエアを用いることが望ましい。すなわち、各実施例に示したゾーン浄化システムは、剖検室１のみならず、手術室やその他食品業界といった他の分野においても幅広く使用することができる。
【図面の簡単な説明】
【００４７】
【図１】この発明の第一実施例に係るゾーン浄化システムの構成を概略的に示す正面図である。
【図２】前記ゾーン浄化システムの構成を概略的に示す側面図である。
【図３】前記ゾーン浄化システムの構成を概略的に示す平面図である。
【図４】上記実施例におけるエア吹き出し手段の構成を概略的に示す斜視図である。
【図５】この発明の第二実施例に係るゾーン浄化システムの構成を概略的に示す説明図である。
【符号の説明】
【００４８】
２  載置手段
５  吹き出し口
６  エア吹き出し手段
７  流路
Ａ  エア
Ｚ  ゾーン
【図１】
2005201488.tif 000003
【図２】
2005201488.tif 000004
【図３】
2005201488.tif 000005
【図４】
2005201488.tif 000006
【図５】
2005201488.tif 000007